(57)【要約】低温保管システム（100、300、400）は、キャビネットハウジング（102、302）と、キャビネットハウジング（102、302）の内外にスライド可能な引き出し（104）とを含む。引き出し（104）は、互いの間に閉鎖空間を画定する内壁および外壁と、引き出し（104）の内壁によって画定された内部領域内に配置された支持グリッド（124）とを含む。支持グリッド（124）は、マトリックス構成で配置されかつ保管キャリアを受け入れるようにそれぞれサイズ決めされた、複数のレセプタクル（406）を画定する。引き出し（104）は、マトリックス構成で配置された複数のレセプタクル（406）の1つに第1のマーキングのいずれか1つおよび第2のマーキングのいずれか1つが一緒になって対応するような様式で引き出し（104）に印刷された、該第1のマーキングおよび該第2のマーキングをさらに含む。2021507196.tif 000003
2021507196.tif 000002
【特許請求の範囲】
【請求項１】
キャビネットハウジングと、
前記キャビネットハウジングの内外にスライド可能な引き出しであって、
互いの間に閉鎖空間を画定する内壁および外壁、
前記引き出しの前記内壁によって画定された内部領域内に配置された支持グリッドであって、マトリックス構成で配置されかつ保管キャリアを受け入れるようにそれぞれサイズ決めされた複数のレセプタクルを画定する支持グリッド、ならびに
前記マトリックス構成で配置された前記複数のレセプタクルの1つに第1のマーキングのいずれか1つおよび第2のマーキングのいずれか1つが一緒になって対応するような様式で前記引き出しに印刷された、前記第1のマーキングおよび前記第2のマーキング
を備える、前記引き出しと
を備える、低温保管システム。
【請求項２】
前記第1および第2のマーキングが英数字ラベルを備える、請求項1記載の低温保管システム。
【請求項３】
前記第1および第2のマーキングが前記支持グリッドに印刷されている、請求項1記載の低温保管システム。
【請求項４】
前記第1および第2のマーキングが前記内壁に印刷されている、請求項1記載の低温保管システム。
【請求項５】
前記引き出しが、前記内壁に沿って配置された網掛けの縦欄式マークをさらに備える、請求項4記載の低温保管システム。
【請求項６】
前記複数のレセプタクルが1200〜1500個のレセプタクルを備える、請求項1記載の低温保管システム。
【請求項７】
前記複数のレセプタクルの各々が、約1.1cm〜約1.2cmの長さおよび約1.1cm〜約1.2cmの幅を有する、請求項1記載の低温保管システム。
【請求項８】
前記複数のレセプタクルが長方形の断面形状を有する、請求項1記載の低温保管システム。
【請求項９】
前記内壁および外壁がチタンを含む、請求項1記載の低温保管システム。
【請求項１０】
前記閉鎖空間が真空圧を含む、請求項1記載の低温保管システム。
【請求項１１】
前記引き出しが、約-196℃以下の温度を有する流体を前記内部領域内に保持するように構成される、請求項1記載の低温保管システム。
【請求項１２】
前記流体の液位を検出するように構成された液位センサをさらに備える、請求項11記載の低温保管システム。
【請求項１３】
前記流体の液位が閾値液位を下回ったときに警報を発するように構成されたアラームをさらに備える、請求項12記載の低温保管システム。
【請求項１４】
前記引き出しが前記内部領域を閉じるように構成された蓋をさらに備える、請求項1記載の低温保管システム。
【請求項１５】
前記蓋が、流体が通過して前記内部領域へと送達されることができる開口部を画定するカバーと、前記開口部を閉じるように構成されたキャップとを備える、請求項14記載の低温保管システム。
【請求項１６】
前記引き出しが第1の引き出しであり、前記低温保管システムが、前記キャビネットハウジングの内外にスライド可能な第2の引き出しをさらに備える、請求項1記載の低温保管システム。
【請求項１７】
前記第1および第2の引き出しが前記キャビネットハウジング内に積層垂直構成で配置される、請求項16記載の低温保管システム。
【請求項１８】
前記保管キャリアをさらに備える、請求項1記載の低温保管システム。
【請求項１９】
前記保管キャリアが、前記支持グリッドの前記複数のレセプタクルの各々の中に適合するようにかつ複数の冷凍保存デバイスを収容するようにサイズ決めされた長方形のレセプタクルを備える、請求項18記載の低温保管システム。
【請求項２０】
前記保管キャリアが、前記長方形のレセプタクルから延びているハンドルを備える、請求項19記載の低温保管システム。
【請求項２１】
互いの間に閉鎖空間を画定する内壁および外壁と、
前記内壁によって画定された内部領域内に配置された支持グリッドであって、マトリックス構成で配置されかつ保管キャリアを受け入れるようにそれぞれサイズ決めされた複数のレセプタクルを画定する支持グリッドと、
前記マトリックス構成で配置された前記複数のレセプタクルの1つに第1のマーキングのいずれか1つおよび第2のマーキングのいずれか1つが一緒になって対応するような様式で前記低温保管容器に印刷された、前記第1のマーキングおよび前記第2のマーキングと
を備える、低温保管容器。
【請求項２２】
前記第1および第2のマーキングが英数字ラベルを備える、請求項21記載の低温保管容器。
【請求項２３】
前記第1および第2のマーキングが前記支持グリッドに印刷されている、請求項21記載の低温保管容器。
【請求項２４】
前記第1および第2のマーキングが前記内壁に印刷されている、請求項21記載の低温保管容器。
【請求項２５】
前記内壁に沿って配置された網掛けの縦欄式マークをさらに備える、請求項24記載の低温保管容器。
【請求項２６】
前記複数のレセプタクルが600〜800個のレセプタクルを備える、請求項21記載の低温保管容器。
【請求項２７】
前記複数のレセプタクルの各々が、約1.1cm〜約1.2cmの長さおよび約1.1cm〜約1.2cmの幅を有する、請求項21記載の低温保管容器。
【請求項２８】
前記複数のレセプタクルが長方形の断面形状を有する、請求項21記載の低温保管容器。
【請求項２９】
前記内壁および外壁がチタンを含む、請求項21記載の低温保管容器。
【請求項３０】
前記閉鎖空間が真空圧を含む、請求項21記載の低温保管容器。
【請求項３１】
前記内部領域を閉じるように構成された蓋をさらに備える、請求項21記載の低温保管容器。
【請求項３２】
前記蓋が、流体が通過して前記内部領域へと送達されることができる開口部を画定するカバーと、前記開口部を閉じるように構成されたキャップとを備える、請求項31記載の低温保管容器。
【請求項３３】
約-196℃以下の温度を有する流体を前記内部領域内に保持するように構成される、請求項21記載の低温保管容器。
【発明の詳細な説明】
【技術分野】
【０００１】
技術分野
本開示は、低温保管システムおよび、検体を保管する関連の方法に関する。
【背景技術】
【０００２】
背景
冷凍保管システムなどの低温保管システムは、生殖補助医療（ART）の分野で使用されており、生きている生殖検体を低温物質内で氷点下の温度に維持することによって、該検体を長期間にわたって保管および保存する。例えば、冷凍保管システムは、ガラス化されているまたはガラス化された検体を収容することおよび持続させることができ、ガラス化とは、検体の細胞内で氷の結晶を形成することなく、液相から固相（例えば、ガラス）へと物質が急速に移行することである。
【発明の概要】
【０００３】
概要
一般に、本開示は、低温保管システム（例えば、冷凍保管システム）および検体を保管システムに保管する関連の方法に関する。このような保管システムは、生きている検体を生存可能な状態で長期間にわたって保存するために使用することができる。
【０００４】
一局面では、低温保管システムは、キャビネットハウジングと、キャビネットハウジングの内外にスライド可能な引き出しとを含む。引き出しは、互いの間に閉鎖空間を画定する内壁および外壁と、引き出しの内壁によって画定された内部領域内に配置された支持グリッドとを含む。支持グリッドは、マトリックス構成で配置されかつ保管キャリアを受け入れるようにそれぞれサイズ決めされた、複数のレセプタクルを画定する。引き出しは、マトリックス構成で配置された複数のレセプタクルの1つに第1のマーキングのいずれか1つおよび第2のマーキングのいずれか1つが一緒になって対応するような様式で引き出しに印刷された、該第1のマーキングおよび該第2のマーキングをさらに含む。
【０００５】
複数の態様は、以下の特徴の1つまたは複数を提供してもよい。
【０００６】
いくつかの態様では、第1および第2のマーキングが英数字ラベルを含む。
【０００７】
特定の態様では、第1および第2のマーキングが支持グリッドに印刷されている。
【０００８】
いくつかの態様では、第1および第2のマーキングが内壁に印刷されている。
【０００９】
特定の態様では、引き出しが、内壁に沿って配置された網掛けの縦欄式マークをさらに含む。
【００１０】
いくつかの態様では、複数のレセプタクルが1200〜1500個のレセプタクルを含む。
【００１１】
特定の態様では、複数のレセプタクルの各々が、約1.1cm〜約1.2cmの長さおよび約1.1cm〜約1.2cmの幅を有する。
【００１２】
いくつかの態様では、複数のレセプタクルが長方形の断面形状を有する。
【００１３】
特定の態様では、内壁および外壁がチタンを含む。
【００１４】
いくつかの態様では、閉鎖空間が真空圧を含む。
【００１５】
特定の態様では、引き出しが、約-196℃以下の温度を有する流体を内部領域内に保持するように構成される。
【００１６】
いくつかの態様では、低温保管システムが、流体の液位を検出するように構成された液位センサをさらに含む。
【００１７】
特定の態様では、低温保管システムが、流体の液位が閾値液位を下回ったときに警報を発するように構成されたアラームをさらに含む。
【００１８】
いくつかの態様では、引き出しが、内部領域を閉じるように構成された蓋をさらに含む。
【００１９】
特定の態様では、蓋が、流体が通過して内部領域へと送達されることができる開口部を画定するカバーと、該開口部を閉じるように構成されたキャップとを含む。
【００２０】
いくつかの態様では、引き出しが第1の引き出しであり、低温保管システムが、キャビネットハウジングの内外にスライド可能な第2の引き出しをさらに含む。
【００２１】
特定の態様では、第1および第2の引き出しが、キャビネットハウジング内に積層垂直構成で配置される。
【００２２】
いくつかの態様では、低温保管システムが保管キャリアをさらに含む。
【００２３】
特定の態様では、保管キャリアが、支持グリッドの複数のレセプタクルの各々の中に適合するようにかつ複数の冷凍保存デバイスを収容するようにサイズ決めされた、長方形のレセプタクルを含む。
【００２４】
いくつかの態様では、保管キャリアが、長方形のレセプタクルから延びているハンドルを含む。
【００２５】
別の局面では、低温保管容器は、互いの間に閉鎖空間を画定する内壁および外壁と、内壁によって画定された内部領域内に配置された支持グリッドとを含む。支持グリッドは、マトリックス構成で配置されかつ保管キャリアを受け入れるようにそれぞれサイズ決めされた、複数のレセプタクルを画定する。低温保管容器は、マトリックス構成で配置された複数のレセプタクルの1つに第1のマーキングのいずれか1つおよび第2のマーキングのいずれか1つが一緒になって対応するような様式で低温保管容器に印刷された、該第1のマーキングおよび該第2のマーキングをさらに含む。
【００２６】
複数の態様は、以下の特徴の1つまたは複数を提供してもよい。
【００２７】
いくつかの態様では、第1および第2のマーキングが英数字ラベルを備える。
【００２８】
特定の態様では、第1および第2のマーキングが支持グリッドに印刷されている。
【００２９】
いくつかの態様では、第1および第2のマーキングが内壁に印刷されている。
【００３０】
特定の態様では、低温保管容器が、内壁に沿って配置された網掛けの縦欄式マークをさらに含む。
【００３１】
いくつかの態様では、複数のレセプタクルが600〜800個のレセプタクルを含む。
【００３２】
特定の態様では、複数のレセプタクルの各々が、約1.1cm〜約1.2cmの長さおよび約1.1cm〜約1.2cmの幅を有する。
【００３３】
いくつかの態様では、複数のレセプタクルが長方形の断面形状を有する。
【００３４】
特定の態様では、内壁および外壁がチタンを含む。
【００３５】
特定の態様では、閉鎖空間が真空圧を含む。
【００３６】
いくつかの態様では、低温保管容器が、内部領域を閉じるように構成された蓋をさらに含む。
【００３７】
特定の態様では、蓋が、流体が通過して内部領域へと送達されることができる開口部を画定するカバーと、該開口部を閉じるように構成されたキャップとを含む。
【００３８】
いくつかの態様では、低温保管容器が、約-196℃以下の温度を有する流体を内部領域内に保持するように構成される。
【００３９】
低温保管システムは、従来の低温検体保管装置に対していくつかの利点を提供する。例えば、本保管システムは、保管システムのキャビネットハウジング内に積層構成で配置された引き出しの数に対応する保管容量を提供し、それにより本保管システムは、垂直空間を最適に使用する一方で水平空間を最小化する。したがって、冷凍保管キャリアを保管するための保管システムの容量（例えば、引き出しの数 × 各引き出し内に含まれる保管レセプタクルの数）は、保管システムの設置面積によって制限されない。これに関して、本保管システムの保管容量は、同様の設置面積を有する他の検体保管装置の保管容量よりも約5〜10倍大きくすることができる。さらに、キャビネットハウジングの設置面積が長方形の（例えば、正方形の）形状であることは、所与の設置面積の長さおよび幅に対する床面積の使用量を増加させる（例えば、最大化する）。加えて、本保管システムの支持グリッドのマルチウェル設計（例えば、保管レセプタクル、英数字ラベル、および網掛けの縦欄を含む）は、患者またはサンプルの誤認のリスクを低減する、冷凍保管キャリアの使いやすく識別しやすい保管のための二次元の組織化された様式を提供する。
【図面の簡単な説明】
【００４０】
【図１】キャビネットハウジングのドアが閉位置にある、低温保管システムの斜視図である。
【図２】ドアが開いており、引き出しがキャビネットハウジングから外にスライドされている、図1の保管システムの一部の斜視図である。
【図３】蓋が引き出しから取り外された、図2の保管システムの斜視図である。
【図４】図1の保管システムの引き出しの分解斜視図である。
【図５】図4の引き出しの内部領域の斜視拡大図である。
【図６】英数字ラベルおよび網掛けを示している、図4の引き出しの内部領域の斜視図である。
【図７】図6の引き出しの内部領域の側面図である。
【図８】引き出しおよび関連付けられた線形アクチュエータを含む、図1の保管システムの一部の斜視図である。
【図９】キャビネットハウジングおよび引き出しと統合されたセンサシステムを示している、図1の保管システムの断面概略側面図である。
【図１０】図1の保管システムに保管することができる冷凍保管キャリアの斜視図である。
【図１１】観覧車型の構造を備えた冷凍保管キャリアトレイアセンブリを有する低温保管システムの斜視図である。
【図１２】直立棚構成の低温保管システムの斜視図である。
【図１３】六角形の冷凍保管キャリアの斜視図である。
【発明を実施するための形態】
【００４１】
詳細な説明
図1〜図3は、検体（例えば、生物学的検体）を低温流体物質中に保管するために使用され得る保管システム100の様々な異なる図および構成を示している。特に、保管システム100は、検体の使用が望まれるまで（例えば、最大約40年の期間）低温物質内で検体を生存可能かつガラス化した状態で保存するように構成された冷凍保管システムである。検体は、単一の細胞、遊離（例えば、非付着）細胞の集合、または付着細胞（例えば、多細胞組織）の集合であり得る。例示的な検体は、生殖検体（例えば、卵母細胞、受精卵、胚、胚盤胞、および原腸胚）および他の非生殖検体（例えば、T細胞および血液細胞など）を含む。検体は、哺乳動物サンプルまたは非哺乳動物サンプルであり得る。低温物質（例えば、液体窒素、極低温プラズマ、または液体ヘリウム）は、典型的には、約-80℃〜約-296℃（例えば、約-196℃）の温度を有し、検体をガラス化した状態に維持する。
【００４２】
保管システム100は、キャビネットハウジング102と、キャビネットハウジング102内に位置する2つの引き出し104とを含む。保管システム100はまた、図9に関して以下でより詳細に論じられるように、キャビネットハウジング102および引き出し104と統合されているセンサシステム116を含む。キャビネットハウジング102は、引き出し104が接続されている支持フレーム106と、引き出し104を開放（図2および図3参照）および閉鎖（図1参照）することを可能にするように支持フレーム106に対して移動可能であるドア108とを含む。ドア108は、複数のヒンジ110を介して支持フレーム106に取り付けられている。キャビネットハウジング102は、ドア108を支持フレーム106に固定することができるラッチまたは磁性部材を含むことができる。キャビネットハウジング102は、内面114および外面164によって画定される二重壁から形成される。特に図3を参照すると、支持フレーム106は、引き出し104と係合して位置決めする、内面114に沿って配置された複数のトラック112を含む。支持フレーム106は、各引き出し104について4つのトラック112（例えば、各引き出し104について支持フレーム106の両側にある2つのトラック）を含む。
【００４３】
キャビネットハウジング102の支持フレーム106およびドア108は、角部で一緒に溶接されかつステンレス鋼およびチタンを含む1つまたは複数の材料で典型的には作製される、屈曲板金から製造されてもよい。キャビネットハウジング102のヒンジ110およびトラック112は、典型的には、ステンレス鋼またはチタンなどの1つまたは複数の材料で作製される。ドア108が支持フレーム106に対して閉鎖した状態で、キャビネットハウジング102は、典型的には、約45.7cm〜約50.8cm（例えば、約48.3cm）の長さ、約45.7cm〜約50.8cm（例えば、約48.3cm）の幅、および約72.2cm〜約80.2cm（例えば、約76.2cm）の高さを有する。キャビネットハウジング102の二重壁構造の各壁は、典型的には、約0.23cm〜約0.26cm（例えば、約0.25cm）の壁厚を有し、壁は、典型的には、約0.93cm〜約1.03cm（例えば、約0.98cm）だけ互いに離間している。引き出し104の内部領域に断熱を提供するために、真空圧が二重壁構造の壁の間に存在する。真空は非常に低い熱伝達率を有するので、二重壁の間の真空圧は、対流および伝導による熱伝達を最小化する。
【００４４】
図3〜図5を参照すると、引き出し104は、トラック112に沿って支持フレーム106の内外にスライド可能である。各引き出し104は、容器118と、蓋120と、容器118の両側に沿って配置された複数のトラック122とを含む。容器118は、図10に関して以下でより詳細に論じられるように、冷凍保管キャリア200を沈めることができる低温物質を保持するように設計される。容器118は、ほぼ長方形の形状を有し、内面134および外面136によって画定される二重壁から形成される。容器118は、蓋120が上に載って容器118を閉じることができる頂面126に隣接する基部138（例えば、凹面）を画定する。容器118は、頂面126の下に位置決めされる支持グリッド124（例えば、マルチウェル構造体）を含む。
【００４５】
図6および図7を参照すると、支持グリッド124は、支持グリッド124の縁に沿って配置された2つの対向する行の数値ラベル128および2つの対向する行のアルファベットラベル130を含む。容器118はまた、内面134に沿って配置され低温物質が支持グリッド124の頂面を覆う場合にも認識可能なままである、2つの対応する行の数値ラベル128および2つの対応する行のアルファベットラベル130を含む。数値ラベル128およびアルファベットラベル130は共に、支持グリッド124の複数の保管レセプタクル132を識別する。例えば、各保管レセプタクル132は、1つの番号および1つの文字に関連して識別され得る。加えて、交互の網掛けの縦欄152は、交互の英数字ラベル128、130に関連して容器118の内面134に沿って配置され、保管レセプタクル132の視覚的識別を容易にする。保管レセプタクル132は、ほぼ長方形の（例えば、正方形の）断面形状であり、それぞれの冷凍保管デバイス200を保持するようにサイズ決めされる。保管システム100の合計保管容量が1250〜1458個の冷凍保管キャリア200となるように、各引き出し104は、典型的には、（例えば、保管レセプタクル132のサイズ、支持グリッド124の壁厚、および引き出し104の他のサイズパラメータに応じて）625〜729個の保管レセプタクル132を含む。
【００４６】
蓋120は実質的に正方形の外形を有し、かつ、容器118の基部138の上に載せられて容器118を閉じるように設計されたインサート154を含む。蓋120は容器118を閉じることができるが、蓋120は容器118を密封しない。その結果、蓋120を外したり損傷したりすることなく、低温物質を膨張させることができる。蓋120は、カバー140と、カバー140を開閉するために使用することができるキャップ142と、キャップ142に取り付けられたハンドル144と、カバー140に取り付けられた2つのハンドル149とを含む。カバー140は、それを通して低温物質を容器118へと送達する（例えば、注ぐ）ことができる、開口部146を画定する。開口部146は凹面148によって囲まれ、キャップ142のインサート156は、それを通過して開口部146を閉じる。
【００４７】
図8を参照すると、各引き出し104は、トラック112、122に沿って、キャビネットハウジング102の支持フレーム106の内外に手動でスライドさせるか、または自動でスライドさせることができる。引き出し104の手動移動が乗り越えねばならない大きな（例えば、容器118、内部に配置された低温物質、およびその内部に収容された冷凍保管デバイス200の）合計重量を考えると、引き出し104の自動移動が有利であり得る。例えば、保管システム100は、容器118に沿ったトラック122にそれぞれ関連付けられた複数の線形アクチュエータ150を含む（例えば、2つのトラック122のセットごとに1つの線形アクチュエータ）。各線形アクチュエータ150は、一端で（例えば、支持フレーム106の後部部分に搭載された）電源152に取り付けられ、他端で剛性部材154（例えば、剛性バー）に取り付けられる。剛性部材154は、線形アクチュエータ150が延長すると引き出し104がトラック112に沿って流れるような様式で前方に（例えば、支持フレーム106の外に）スライドするように、トラック122に取り付けられる。引き出し104は、ハンドル162を使用して支持フレーム106の外に手動でスライドさせることができる。
【００４８】
引き出し104の構成要素は、チタンまたはステンレス鋼など、長期間（例えば、少なくとも約40年）にわたって機械的および化学的に低温に耐えることができる1つまたは複数の材料で作製される。引き出し104の構成要素は、屈曲板金または機械加工金属から製造されてもよい。引き出し104の容器118は、典型的には、約45.7cm〜約50.7cm（例えば、約48.2cm）の全長、約40.9cm〜約45.5cm（例えば、約43.2cm）の全幅、および約29.4cm〜約32.6cm（例えば、約31.0cm）の全高を有する。容器118の二重壁構造の各壁は、典型的には、約0.24cm〜約0.26cm（例えば、約0.25cm）の壁厚を有し、壁は、典型的には、約1.92cm〜約2.14cm（例えば、約2.03cm）だけ互いに離間している。真空圧が二重壁構造の壁の間に存在し、それによって対流および伝導による熱伝達を最小化する。
【００４９】
容器118の内部領域（例えば、内面134によって画定される）は、典型的には、約36.1cm〜約40.1cm（例えば、約38.1cm）の長さ、約36.6cm〜約40.6cm（例えば、約38.6cm）の幅、および約24.8cm〜約27.6cm（例えば、約26.2cm）の高さを有する。保管レセプタクル132は、典型的には、約1.16cm〜約1.28cm（例えば、約1.22cm）の長さ、および約1.16cm〜約1.28cm（例えば、約1.22cm）の幅を有する。支持グリッド124は、典型的には、約0.24cm〜約0.27cm（例えば、約2.54cm）の垂直長さを有し、容器118の底部内面134の上方約9.02cm〜約10.03cm（例えば、約9.53cm）の高さ（例えば、保管レセプタクル132の高さを決定する）に位置決めされる。支持グリッド124の壁は、典型的には、約0.17cm〜約0.19cm（例えば、約0.18cm）の厚さを有する。ラベル128、130は、レーザマーキング、エッチング、またはエングレービングなどの様々な製造技法を介して、容器118の内面134におよび支持グリッド124に適用することができる。
【００５０】
容器118の蓋120は、容器118とほぼ等しい全長および全幅を有する。蓋120は、断熱のために二重壁構造を有する。蓋120の壁は、約0.24cm〜約0.27cmの厚さを有する。蓋120の壁の間の間隔は、約0.757cm〜約0.842cmである。蓋120のインサート154は、典型的には、容器118の基部138のサイズに応じて、約36.09cm〜約40.10cm（例えば、約38.1cm）の長さ、約36.09cm〜約40.10cm（例えば、約38.1cm）の幅、および約2.16cm〜約2.39cm（例えば、約2.29cm）の深さを有する。カバー140の凹面148およびキャップ142は、典型的には、約16.84cm〜約18.71cm（例えば、約17.78cm）の外径を有する。キャップ156のインサート156は、典型的には、蓋120のカバー140の開口部146の直径に応じて、約2.16cm〜約2.41cm（例えば、約2.29cm）の深さ、および約14.44cm〜約16.04cm（例えば、約15.24cm）の直径を有する。
【００５１】
図9を参照すると、保管システム100のセンサシステム116は、各引き出し104についての液位センサ158および関連付けられたアラーム160を含む。アラーム160は、電池式であってもよく、キャビネットハウジング102の支持フレーム106の上部分に沿って位置決めされる。液位センサ158は、アラーム160から下向きにキャビネットハウジング102を通り、引き出し104の蓋120を通って、容器118の底部内面134まで延びている。低温物質101が容器118の底部内面134の上方約12cm〜約20cmの高さまで容器118を満たすように、容器118の内部領域は、典型的には、低温物質101で約40％〜約60％が満たされている。アラーム160および液位センサ158は、閾値（例えば、容器118の内部領域の約40％〜約45％の体積）を下回る（例えば、蒸発による）低温物質101の液位の低下を検出し、そのような検出時に可聴音警報または可視光警報の一方または両方を発し、かつ該物質の液位が閾値を超えて補充されると警報を終了するように、プログラムされている。
【００５２】
保管システム100の使用中、ドア108は、キャビネットハウジング102の支持フレーム106から開かれて引き出し104へのアクセスを可能にする（図2参照）。引き出しは、線形アクチュエータ150を介して自動で、またはハンドル162を使用して手動で、外にスライドさせることができる（図2参照）。1つまたは複数の冷凍保管デバイス200を置くもしくは取り出すまたは容器118内の低温物質を補充するために、引き出し104の蓋120が容器118から取り外される（図3参照）。冷凍保管キャリア200は、支持グリッド124および英数字ラベル128、130によって容易に識別されることができる（図5〜図7参照）。低温物質はまた、蓋のキャップ142を取り外して蓋の開口部146を容器118の内部領域に露出させることによって（図4参照）、補充することもできる。保管システム100のアラーム160の1つが可聴警報または可視警報を発するとき（図9参照）、ユーザは、低温物質を補充するように通知され得る。
【００５３】
保管システム100は、従来の低温検体保管装置に対していくつかの利点を提供する。例えば、保管システム100は、保管システム100が垂直空間を最適に使用する一方で水平空間を最小化するような、キャビネットハウジング102内に積層構成で配置された引き出し104の数に対応する保管容量を提供する。したがって、冷凍保管キャリア200を保管するための保管システム100の容量（例えば、引き出し104の数 × 各引き出し104内に含まれる保管レセプタクル132の数）は、保管システム100の設置面積によって制限されない。これに関して、保管システム100の保管容量は、同様の設置面積を有する他の低温検体保管装置の保管容量よりも約5〜10倍大きくすることができる。さらに、キャビネットハウジング102の設置面積が長方形の（例えば、正方形の）形状であることは、所与の設置面積の長さおよび幅に対する床面積の使用量を最大化する。加えて、支持グリッド124のマルチウェル設計（例えば、保管レセプタクル132、英数字ラベル128、130、および網掛けの縦欄152を含む）は、患者またはサンプルの誤認のリスクを低減する、冷凍保管キャリア200の使いやすく識別しやすい保管のための二次元の組織化された様式を提供する。
【００５４】
図10は、冷凍保管キャリア200の1つの斜視図を示している。冷凍保管キャリア200は、低温物質内で冷凍保存デバイス201（および例えば、その内部に含まれる検体）を保管するために、複数の細長い管状の冷凍保存デバイス201を保持するように設計されている。例えば、冷凍保管キャリア200は、引き出し104のレセプタクル132の中（または別の保管システムの保管エリアの中）に適合するようにサイズ決めされる。冷凍保管キャリア200の複数チューブ収容能力は、同じ患者または家族からの検体を収容する複数の冷凍保存デバイス201のグループ化された保管を可能にし、それによって検体の誤認のリスクを低減する。
【００５５】
冷凍保管キャリア200は、容器202と、容器202から延びているステム204とを含む。容器202は、10〜12個の冷凍保存デバイス201の収容容量を有する、開口した細長い構造体である。ステム204は、延長部分206と、ハンドル208の把持を容易にするために延長部分206に対して鋭角に方向付けられるハンドル208とを含む。延長部分206は、冷凍保管キャリア200への容易なアクセスおよびその操作のために、ハンドル208を、容器202を超えかつ周囲の保管レセプタクル132を超えて、高くする。延長部分206の長さはまた、冷凍保存デバイス201内に含まれる検体が低温物質に十分に曝露されることを確実にするために、低温物質内への冷凍保管キャリア200の深い沈降を可能にする。
【００５６】
ハンドル208は、手で直接、または、冷凍保管キャリア200を把持するために特別に設計されるツールを使用して、把持することができる。ハンドル208は、人間が読み取れる情報を書き込みもしくは印刷することができ、または機械が読み取れる情報を含むラベル（例えば、タグまたはステッカ）を接着することができる、大きな表面210を提供する。例示的なラベルは、無線自動識別（RFID）ラベル、バーコードラベル、およびクイックレスポンス（QR）コードラベルを含む。例示的な情報は、患者情報、サンプル識別情報、および保管パラメータ情報の1つまたは複数を含む。
【００５７】
容器202は、長方形の（例えば、正方形の）断面形状を有する。容器202は、典型的には、約1.08cm〜約1.19cm（例えば、約1.14cm）の長さ、約1.08cm〜約1.19cm（例えば、約1.14cm）の幅、および約11.43cm〜約12.70cm（例えば、約12.07cm）の高さを有し、それにより容器202は、冷凍保存デバイス201の表面領域の大部分を囲み、容器202の表面領域の大部分は、周囲の保管レセプタクル132内の低温物質に沈められる。ステム204の延長部分は、典型的には、約10.15cm〜約11.28cm（例えば、約10.72cm）の長さ、および約1.08cm〜約1.19cm（例えば、約1.14cm）の幅を有する。ステム204のハンドル208は、典型的には、約1.03cm〜約1.14cm（例えば、約1.09cm）の長さ、および約1.08cm〜約1.19cm（例えば、約1.14cm）の幅を有する。冷凍保管キャリア200は、典型的には、約0.028cm〜約0.032cm（例えば、約0.03cm）の壁厚を有する。
【００５８】
冷凍保管キャリア200は、ポリプロピレン、ポリエチレン、またはポリカーボネートなど、長期間（例えば、少なくとも約40年）にわたって機械的および化学的に低温に耐えることができる1つまたは複数の材料で作製される。冷凍保管キャリア200は、射出成形によって製造されてもよい。
【００５９】
特定の態様が上述されたが、他の態様も可能である。
【００６０】
例えば、図11は、観覧車型の構造（例えば、複数のキャリアを備えた回転構成要素）を有するトレイアセンブリを有する保管システム300を示している。保管システム300は、ハウジング302と、ハウジング302内に配置された回転構成要素304と、回転構成要素304に接続されそれと共に移動する複数のトレイ306とを含む。ハウジング302は二重壁構造を有し、トレイ306へのアクセスを提供するキャップ308を含む。
【００６１】
回転構成要素304は、ハウジング302の垂直空間の最適な使用を提供する垂直の方向付けを有する細長い構造体である。保管システム300は、モータおよび手動クランクをさらに含み、それによって回転構成要素304をそれぞれ自動および手動で動かすことができる。例えば、冷凍保管キャリア（例えば、冷凍保管キャリア200）をトレイ306に送達するかまたはトレイ306に保管された冷凍保管キャリアを取り出すためにトレイ306にアクセスできるように、回転構成要素304を回転させて所望のトレイ306をキャップ308に隣接またはハウジング302の側面開口部に隣接して載置することができる。回転構成要素304の垂直構成はまた、ハウジング302の設置面積によって占有される床面積を最適化し、回転構成要素304に沿ってトレイ306の間隔を隔てることは、ハウジング302内の冷凍保管キャリア200の組織化を容易にする。
【００６２】
いくつかの態様では、トレイ306は、構造および機能において引き出し104（例えば、容器118および蓋102の一方または両方を含む）と実質的に同様であるが、トラック122がない。代替の態様では、トレイ306は、異なる構造を有する。低温物質は、トレイ306の各々の中に保持される。
【００６３】
キャビネットハウジング302は、角部で一緒に溶接されかつステンレス鋼およびチタンを含む1つまたは複数の材料で典型的には作製される、屈曲板金から製造されてもよい。キャビネットハウジング302は、典型的には、約45.75cm〜約50.84cm（例えば、約48.3cm）の長さ、約45.75cm〜約50.84cm（例えば、約48.3cm）の幅、および約72.19cm〜約80.21cm（例えば、約76.2cm）の高さを有する。キャビネットハウジング302の二重壁構造の各壁は、典型的には、約0.236cm〜約0.263cm（例えば、約0.25cm）の壁厚を有し、壁は、典型的には、約0.93cm〜約1.03cm（例えば、約0.98cm）だけ互いに離間している。回転構成要素304は、典型的には、約40.92cm〜約45.47cm（例えば、約43.2cm）の高さ、および約9.18cm〜約10.21cm（例えば、約9.7cm）の幅を有する。
【００６４】
図12は、2部構成の直立構造を有する保管システム400を示している。例えば、保管システム400は、二重壁構造を有する前部ハウジング402および後部ハウジング404を含む。後部ハウジング404は、アクセスポート410を介して低温物質で満たされることができ、複数のレセプタクル406を画定し、その中で冷凍保管キャリア（例えば、冷凍保管キャリア200）または冷凍保存デバイス（例えば、冷凍保存デバイス201）を低温物質に隣接して保存することができる。前部ハウジング402は複数のスロット408を画定し、該複数のスロット408は、レセプタクル406にそれぞれ対応し、かつ、それを通して冷凍保管キャリアまたは冷凍保存デバイスを挿入および取り出すことができる、通路を提供する。低温物質は、冷凍保存デバイス201と接触していない。むしろ、低温物質は、後部ハウジング404を満たしている。複数のスロット408は一緒になってグリッド（例えば、英数字ラベルを含む）を形成し、それによって冷凍保管キャリアまたは冷凍保存デバイスを識別することができる。保管システム400の直立の方向付けが最小の設置面積を提供するように、後部ハウジングの深さを、冷凍保管キャリアまたは冷凍保存デバイスを収容することが可能である程度に短くすることができる。
【００６５】
保管システム400は、典型的には、1300〜1400個のレセプタクル406およびスロット408を含む。ハウジング402、404は、角部で一緒に溶接されかつチタンまたはステンレス鋼を含む1つまたは複数の材料で典型的には作製される、屈曲板金から製造されてもよい。ハウジング402、404は、典型的には、約144.4cm〜約160.4cm（例えば、約152.4cm）の高さ、および約45.8cm〜約50.8cm（例えば、約48.3cm）の幅を有する。後部ハウジング404は、典型的には、約22.9cm〜約25.5cm（例えば、約24.2cm）の深さを有し、前部ハウジング402は、典型的には、約11.5cm〜約12.7cm（例えば、約12.1cm）の深さを有する。ハウジング402、404の二重壁構造の各壁は、典型的には、約0.24cm〜約0.26cm（例えば、約0.25cm）の壁厚を有し、壁は、典型的には、約0.93cm〜約1.03cm（例えば、約0.98cm）だけ互いに離間している。
【００６６】
図13は、低温物質を保持する保管システム内に冷凍保管キャリア（例えば、冷凍保管キャリア200）または冷凍保存デバイス（例えば、冷凍保存デバイス201）を保管することができる、冷凍保管キャリア500を示している。冷凍保管キャリア500は、六角形の断面形状を有する容器502と、容器502内に配置された複数（例えば、6つ）の仕切りセクション504と、容器502から延びているハンドル506（例えば、フック）とを含む。仕切りセクション504は三角形の断面形状を有し、したがって、容器502の形状を満たすように整合する。仕切りセクション504はまた、内部に含まれる冷凍保管キャリアまたは冷凍保存デバイスの識別を容易にするための別個の色を有する。
【００６７】
容器502および仕切りセクション504は、角部で一緒に溶接されかつステンレス鋼またはチタンを含む1つまたは複数の材料で典型的には作製される、屈曲板金から製造されてもよい。容器502および仕切りセクション504は、典型的には、約11.5cm〜約12.7cm（例えば、約12.1cm）の高さ、および約0.24cm〜約0.26cm（例えば、約0.25cm）の壁厚を有する。容器502は、典型的には、約9.09cm〜約10.1cm（例えば、約9.6cm）の幅を有し、仕切りセクション504は、典型的には、約0.24cm〜約0.26cm（例えば、約0.25cm）の幅を有する。
【００６８】
上述の保管システムおよび冷凍保管キャリアは、特定の寸法、サイズ、形状、および材料を含むものとして説明されたが、いくつかの態様では、上述の態様と構造および機能が実質的に同様である保管システムおよび冷凍保管デバイスは、異なる寸法、サイズ、形状、および材料を含んでもよい。
【図１】
2021507196.tif 000004
【図２】
2021507196.tif 000005
【図３】
2021507196.tif 000006
【図４】
2021507196.tif 000007
【図５】
2021507196.tif 000008
【図６】
2021507196.tif 000009
【図７】
2021507196.tif 000010
【図８】
2021507196.tif 000011
【図９】
2021507196.tif 000012
【図１０】
2021507196.tif 000013
【図１１】
2021507196.tif 000014
【図１２】
2021507196.tif 000015
【図１３】
2021507196.tif 000016
【国際調査報告】
2021507196.tif 000017
2021507196.tif 000018